(57)【要約】【課題】足首周りの保護を強化し、土等の靴内への侵入を低減し得る野球用ストッキングを提供することを目的とする。【解決手段】本考案に係る野球用ストッキング１は、筒状に編成された布地から成り、下肢に被覆されるストッキング本体２と、該ストッキング本体２に連なり足裏に係止される帯状の係止帯３とからなり、該ストッキング本体２は、該布地が着用時に足の甲の上部及びアキレス腱の下部に当接する部位まで延在し、足首下部周囲を被覆する足首被覆部２ａを備えることを特徴とする。本考案に係る野球用ストッキング１が下肢に着用された時の足首被覆部２ａは、足の甲上部及びアキレス腱下部までの広い範囲を被覆しているため、足首下部周囲の保護性を向上させると同時に、スライディング時における土、砂や小石等の靴の中への侵入を低減することができる。【選択図】図１
0003196742.tif 000002
【実用新案登録請求の範囲】
【請求項１】
筒状に編成された布地から成り、下肢に被覆されるストッキング本体と、
該ストッキング本体に連なり足裏に係止される帯状の係止帯とからなり、
該ストッキング本体は、
該布地が着用時に足の甲の上部及びアキレス腱の下部に当接する部位まで延在し、足首下部周囲を被覆する足首被覆部を備えることを特徴とする野球用ストッキング。
【請求項２】
前記係止帯が、着用時に前記足首被覆部の内外の両踝に当接する部位より前方で連なることを特徴とする請求項１に記載の野球用ストッキング。
【請求項３】
前記係止帯は、前記ストッキング本体に縫着されている請求項１または２に記載の野球用ストッキング。
【考案の詳細な説明】
【技術分野】
【０００１】
本考案は足首周りの保護を強化し、土等のスパイク靴内への侵入を低減し得る野球用ストッキングに関する。
【背景技術】
【０００２】
野球用品のストッキングは、下肢を被覆するソックスの上に重ねて履かれる所謂保護具であり、走塁中におけるスライディング時の地面との摩擦、及び内野守備中における走者のスライディングのスパイク靴等から下肢を保護して外傷を防ぐ目的と、脹脛の肉離れ等の怪我を予防する目的がある。下記の特許文献に、様々なタイプの野球用ストッキングが提供されている。
【先行技術文献】
【特許文献】
【０００３】
【特許文献１】実公昭３８−７６９号公報
【特許文献２】実登２５１２８９６号公報
【特許文献３】実登３０５２６７９号公報
【考案の概要】
【考案が解決しようとする課題】
【０００４】
特許文献１には、着用者の足首への荷重を排除し軽快な行動を取ることができると共にストッキング自体の耐久性を高めるべく、ストッキング本体の下縁の前後部と、下縁の両側部と係止帯との縫着部とをスパイク靴の履き口よりも上方に配置させることで、下縁及び縫着部の厚みがスパイク靴内に配置されることによる不快感の排除と、スパイク靴との強い摩擦によるほころびや糸切れとを防止する野球用ストッキングが提供されている。
【０００５】
特許文献２で提供されている野球用のストッキングは、係止帯が着用中に後方の踵側にずれて脱落するのを防ぐために、係止帯を廃止する代わりにストッキング本体が踵全体を被覆し、土踏まずから足の甲部にかけて伸縮性の良いゴム編み組織が形成されてストッキングを緊締している。
【０００６】
特許文献３には、下肢に被覆可能である複数層の伸縮性生地が筒状に編成されて成るストッキング本体のアキレス腱当接箇所から内外の両踝当接箇所に至る部位に、ストッキング本体に止着される状態で緩衝材を縫着させて、衝撃を緩和する野球及びソフトボール用ストッキングが提供されている。
【０００７】
いずれの特許文献のストッキングも、ストッキング本体の足首前部及び足首後部の所謂アキレス腱部がアーチ状に切り欠かれているため、その切り欠き部位ではソックスの布地一枚の単層による保護となり、スライディング時や接触プレーの衝撃が伝わりやすく、さらに地面との摩擦でソックスが破れた場合には露出した脚部に外傷を負う可能性もある。また、スパイク靴とストッキングの隙間が大きいため、スライディング時にスパイク靴の中に土、砂や小石等が侵入しやすい。
【０００８】
本考案は、このような事情に鑑みてなされたものであって、足首周りの保護を強化し、土の侵入を防止し得る野球用ストッキングを提供することを目的としている。
【課題を解決するための手段】
【０００９】
本考案者はこの課題を解決すべく鋭意研究し、試行錯誤を重ねた結果、従来のストッキングにおける足首前部及び足首後部のアーチ状の切り欠きを廃止して下方へ延在させて、足首下部の周囲を全体的に被覆することを思いつき、以降に述べる本考案を完成するに至った。
【００１０】
本考案に係る野球用ストッキングは、筒状に編成された布地から成り、下肢に被覆されるストッキング本体と、該ストッキング本体に連なり足裏に係止される帯状の係止帯とからなり、該ストッキング本体は、該布地が着用時に足の甲の上部及びアキレス腱の下部に当接する部位まで延在し、足首下部周囲を被覆する足首被覆部を備えることを特徴とする。
【００１１】
従来のストッキングに対して足首周りの保護性を向上させるために、本考案に係る野球用ストッキングは、切り欠かれていた足首前後の切り欠きを廃止して下方へ広がるように布地が延在し、足首前部から甲につながる部位、内外の両踝、及びアキレス腱下部までに及ぶ足首下部周囲を被覆する。こうすることで、ソックスとストッキングの二重保護層の範囲が拡大され、スライディング時の地面との摩擦や、接触プレーで発生し得る足首周りへの衝撃を吸収及び緩和し、外傷等の負傷の可能性を低減させることができる。また、スパイク靴とストッキングとの隙間が狭くなるため、その隙間からの土、砂や小石等の侵入も低減することができる。
【図面の簡単な説明】
【００１２】
【図１】本考案に係る野球用ストッキングの実施例を示す正面図である。
【図２】本考案に係る野球用ストッキングの実施例の正面図におけるＡ−Ａ線断面図である。
【図３】本考案に係る野球用ストッキングの実施例の使用状態を示す参考図である。
【考案を実施するための形態】
【００１３】
≪ストッキング本体≫
ストッキング本体を構成する布地は、綿や毛、麻等の天然繊維から成る糸、アクリルやナイロン、ポリエステル、ポリウレタン等の化学繊維から成る糸、及びそれらを混紡されて成る糸等を下肢に被覆し得るように、フライス編み、リブ編み、天竺編みやスムース編み等で筒状に編成されて成る。糸を成す繊維には、スライディング時の地面との摩擦に対する強度を備え、適度に下肢（下履きのソックス）に寄り沿う伸縮性を備えると好適である。さらに、通気性、保温性、又は吸湿速乾性を備えると好ましい。プレー中の汗による蒸れを軽減して快適な状態を維持し、雨天時には体温の低下を軽減させることができる。また、ストッキング本体及び係止帯に任意の色や柄が表現できるように染色性に優れ、汗や雨などで濡れた際にソックス等への色移りを防止するために、染色が抜けにくい繊維が好ましい。
【００１４】
繊維にセラミック粒子等の機能性物質を練り込んだり、布地の表面に機能性コーティング剤等を吹き付けたりする加工を施してもよい。これにより、除菌、消臭、紫外線の吸収又は反射、若しくは汚れが付きにくく又は落ちやすくする等の効果を持たせることができる。他にも、ストッキング本体の上下方向において、糸や編成方法等を変更することによって着用圧力を徐変させて、浮腫み防止機能を付与することもできる。
【００１５】
≪足首被覆部≫
本考案に係る足首被覆部は、ストッキング本体の下部に設けられ、足首前部から甲につながる部位、内外の両踝、及び足首後部のアキレス腱下部までの範囲を被覆する。足首被覆部の被覆範囲が広ければ広い程に保護性が高まるために、加えて土等のスパイク靴内への侵入を低減させるために、スパイク靴の履口に当接するまで足首被覆部を延在させることが望ましい。一切の隙間を無くして効果を最大限に高めるために、スパイク靴の中まで足首被覆部を延在させてもよいが、着用時に足首被覆部の厚みにより不快感が生じないよう、足首被覆部の布地の厚みは薄いことが好ましい。別の形態として、スパイク靴内に延在するのではなく、スパイク靴の履口の外側に延在されてスパイク靴を被覆してもよい。その場合、後述する係止帯が縫着される部位は、足首被覆部の縁部ではなく、内外の踝付近に当接する筒状布地の内側面に縫着されるとよい。
【００１６】
≪係止帯≫
本考案に係る係止帯は、足首被覆部の内外の両踝付近に当接する部位周辺から連なり、足裏の土踏まずに引っかけて止める帯状の布地である。ストッキング本体と同様に天然繊維及び化学繊維を適宜用いることができる。着用時のスパイク靴内の不快感を低減するために薄い布地で、且つスパイク靴との摩擦に対する強度のある布地が好ましい。激しいプレーによりスパイク靴内の摩擦で後方に係止帯がずれて踵より脱落することを防止するために、足首被覆部の内外の両踝に当接する部位より前方で係止帯が連なり、土踏まずの前寄りに係止されることが好ましい。また別の形態として、ストッキング本体に係止帯が縫着されて野球ストッキングを形成してもよい。
【実施例】
【００１７】
本考案に係る野球用ストッキングの実施例を図１〜３に示す。図１は膝下から足首下部までの範囲を被覆する野球用ストッキング１の正面図である。ストッキング本体２の下部に足首被覆部２ａを備える。直線帯状の係止帯３は、図１における最下部に係止帯３の中央部が位置し、係止帯３の両端部は足首被覆部２ａに上下方向に真っ直ぐに縫着されている。ストッキング本体２は、アクリル、毛、及びナイロンから成る混紡糸で天竺編みにより編成されている。係止帯３は、ナイロンから成る糸でフライス編みにより編成されている。
【００１８】
図２は、図１のＡ−Ａ線における断面図である。図２から分かるように、係止帯３は足首被覆部２ａの筒状布地の内側面に縫着されている。図３は、ユニフォームのズボンと共に、ソックスの上に重ね履きされた着用状態を示す参考図である。図３に示すように、着用時の足首被覆部２ａは、足の甲上部及びアキレス腱の下部まで広く被覆して、足首下部周囲の保護性を向上させている。また、係止帯３が内外の両踝より前側の足首被覆部２ａに縫着されているため、土踏まずの前寄りに係止されている。これにより、プレー中におけるスパイク靴内の摩擦によって係止帯３がずれて、踵より脱落する可能性が低減されている。
【符号の説明】
【００１９】
１ 野球用ストッキング
２ ストッキング本体
２ａ 足首被覆部
３ 係止帯
【図１】
0003196742.tif 000003
【図２】
0003196742.tif 000004
【図３】
0003196742.tif 000005